(57)【要約】【課題】ディスプレイ環境において基準者に基づいてオブジェクトを管理する方法およびこのシステムを提供する。【解決手段】ディスプレイ環境における基準者に基づいたオブジェクト管理システムにおいて、オブジェクトのメタデータ情報を管理するメタデータ管理部と、ユーザから条件情報を受信し、この条件情報に対応するメタデータ情報を分析してオブジェクトを選別する条件分析部と、マルチプロジェクションウィンドウ上におけるオブジェクトのムーブメントモードおよび／または基準者のムーブメント経路を管理するディスプレイ管理部とを含むことを特徴とする。【選択図】図１
2009093613.tif 000002
【特許請求の範囲】
【請求項１】
ディスプレイ環境において基準者に基づいてオブジェクトを管理するためのシステムにおいて、
前記基準者の条件情報に対応して、前記メタデータ情報を含む前記オブジェクトを選別する条件分析部と、
前記ディスプレイ環境上における前記基準者の整列に対応して、前記オブジェクトの整列を管理するディスプレイ管理部と、
を含むことを特徴とする基準者に基づいたオブジェクト管理システム。
【請求項２】
前記オブジェクトの前記メタデータ情報を管理するメタデータ管理部と、
前記オブジェクトが保存されて維持されるオブジェクト保存部と、
前記オブジェクトを管理するための情報の受信を促進させる入力モジュール部と、
をさらに含むことを特徴とする請求項１に記載の基準者に基づいたオブジェクト管理システム。
【請求項３】
前記ディスプレイ管理部は、前記基準者のムーブメントに対応して、前記オブジェクトのムーブメントを管理することを特徴とする請求項１に記載の基準者に基づいたオブジェクト管理システム。
【請求項４】
前記ディスプレイ管理部は、
前記基準者のムーブメント経路を管理する基準者ムーブメント管理部と、
前記ムーブメント経路に対応して、前記オブジェクトのムーブメントモードを管理するオブジェクトムーブメント管理部と、
を含むことを特徴とする請求項１に記載の基準者に基づいたオブジェクト管理システム。
【請求項５】
前記ムーブメントモードは、
前記基準者に基づいてとして選別された前記オブジェクトを前記基準者中心の所定の領域に配置させるコレクションモードと、
前記基準者に対するコレクトパワー情報と、
前記選別されたオブジェクトを前記基準者を中心として整列させるオリエンテーションモードと、
を含むことを特徴とする請求項４に記載の基準者に基づいたオブジェクト管理システム。
【請求項６】
前記オブジェクトは、前記条件情報および選択モード情報に対応して管理され、
前記選択モード情報は、前記ディスプレイ環境のディスプレイ領域情報および前記基準者のカバー領域情報を含むことを特徴とする請求項１に記載の基準者に基づいたオブジェクト管理システム。
【請求項７】
前記条件情報は、
前記オブジェクトを所有している前記ユーザに対する１つ以上の所有者情報、前記オブジェクト作成に寄与した寄与者に対する１つ以上の寄与者情報、前記オブジェクトを修正した最近の修正者に対する１つ以上の修正者情報、前記基準者による収集強度に対するコレクトパワー情報、
を含むことを特徴とする請求項１に記載の基準者に基づいたオブジェクト管理システム。
【請求項８】
前記条件情報は、プライバシー情報をさらに含み、
前記オブジェクトは、第１ユーザの基準者を第１モードに対する前記プライバシー情報に対応して表示し、第２モードに対する前記プライバシー情報に対応する第２ユーザには、隠れて表示されることを特徴とする請求項１に記載の基準者に基づいたオブジェクト管理システム。
【請求項９】
前記条件情報は、前記オブジェクトを管理するユーザの前記基準者に対する情報であることを特徴とする請求項１に記載の基準者に基づいたオブジェクト管理システム。
【請求項１０】
前記基準者は、前記ディスプレイ環境における所定の位置を有し、前記ユーザの位置変化に対応して、前記ディスプレイ環境における前記選定された位置に整列されることを特徴とする請求項１に記載の基準者に基づいたオブジェクト管理システム。
【請求項１１】
前記メタデータ情報は、前記オブジェクトに対する１つ以上の所有者情報、前記ウィンドウ上の前記オブジェクトに対する１つ以上の位置情報、前記ユーザの１つ以上の寄与度情報、前記オブジェクトの１つ以上の修正情報、前記オブジェクトに対するプライバシー情報、および前記ユーザによる寄与度情報に対する寄与度程度情報を含むことを特徴とする請求項１に記載の基準者に基づいたオブジェクト管理システム。
【請求項１２】
１つ以上の前記条件情報および１つ以上の前記基準者を活性化して制御するネットワークモジュール部と、
前記ディスプレイ環境における所定のディバイスを前記基準者として認識する基準者認識部と、
をさらに含むことを特徴とする請求項２記載の基準者に基づいたオブジェクト管理システム。
【請求項１３】
前記オブジェクト管理システムは、コンピュータシステムであることを特徴とする請求項１に記載の基準者に基づいたオブジェクト管理システム。
【請求項１４】
前記オブジェクト管理システムは、前記ディスプレイ環境において１以上のユーザが表示され、前記１以上のユーザは、同一な前記オブジェクトを対象として作業するユーザコンピュータシステムであることを特徴とする請求項１３に記載の基準者に基づいたオブジェクト管理システム。
【請求項１５】
前記オブジェクト管理システムは、マルチプロジェクションウィンドウ環境システム、マルチユーザディスプレイシステム、テーブルトップシステム、デスクトップシステム、およびタブレットシステムのうちのいずれか１つであることを特徴とする請求項１３に記載の基準者に基づいたオブジェクト管理システム。
【請求項１６】
ディスプレイ環境において基準者に基づいてオブジェクトを管理するための方法において、
前記ディスプレイ環境における前記基準者のムーブメントを管理するステップと、
前記基準者の前記ムーブメントに対応して、前記オブジェクトのムーブメントを管理するステップと、
を含むことを特徴とする基準者に基づいたオブジェクト管理方法。
【請求項１７】
前記基準者の条件情報に対応して、メタデータ情報を含む前記オブジェクトを選別するステップ、
をさらに含むことを特徴とする請求項１６に記載の基準者に基づいたオブジェクト管理方法。
【請求項１８】
前記メタデータ情報は、
前記オブジェクトに対する１つ以上の所有者情報、前記オブジェクトに対する１つ以上の位置情報、前記ユーザの１つ以上の寄与度情報、前記オブジェクトの１つ以上の修正情報、前記オブジェクトに対するプライバシー情報、および前記ユーザによる寄与度程度に対する寄与度程度情報を含むことを特徴とする請求項１７に記載の基準者に基づいたオブジェクト管理方法。
【請求項１９】
前記条件情報は、
前記オブジェクトを所有している前記ユーザに対する１つ以上の所有者情報、前記オブジェクト作成に寄与した寄与者に対する１つ以上の寄与者情報、前記オブジェクトを修正した最近の修正者に対する１つ以上の修正者情報、前記基準者による収集強度に対するコレクトパワー情報、
を含むことを特徴とする請求項１７に記載の基準者に基づいたオブジェクト管理方法。
【請求項２０】
前記条件情報は、プライバシー情報をさらに含み、
第２モードに対する前記プライバシー情報に対応して第２ユーザのオブジェクトを隠しながら、第１モードに対する前記プライバシー情報に対応して、前記基準者の第１ユーザに前記第１ユーザの前記オブジェクトを表示するステップ、
をさらに含むことを特徴とする請求項１７に記載の基準者に基づいたオブジェクト管理方法。
【請求項２１】
他のオブジェクトのメタデータ情報に対応して、再定義された前記基準者の前記条件情報に対する前記他のオブジェクトを選別するステップ、
をさらに含むことを特徴とする請求項１７に記載の基準者に基づいたオブジェクト管理方法。
【請求項２２】
前記ディスプレイ環境における前記基準者の位置変化に対応して、前記オブジェクトを第１位置から第２位置に選別するステップ、
をさらに含むことを特徴とする請求項１６に記載の基準者に基づいたオブジェクト管理方法。
【請求項２３】
前記基準者のユーザの位置変化に対応して、前記基準者を第１位置から第２位置に選別するステップ、
をさらに含むことを特徴とする請求項１６に記載の基準者に基づいたオブジェクト管理方法。
【請求項２４】
複数のオブジェクトを表示するステップ、
をさらに含み、
前記基準者の前記ムーブメントに対応して、前記オブジェクトのムーブメントを管理する前記ステップは、
前記基準者の前記ムーブメントによる前記基準者に対応して、前記オブジェクトのムーブメントを管理するステップ、
を含むことを特徴とする請求項１６に記載の基準者に基づいたオブジェクト管理方法。
【請求項２５】
請求項１６の方法を実行させるためのプログラムを記録したコンピュータ読み取り可能な記録媒体。
【請求項２６】
ディスプレイ環境において基準者に基づいて複数のオブジェクトを管理するためのシステムにおいて、
前記複数のオブジェクトに対応するデータを保存するための保存部と、
前記基準者の条件情報に対応して、前記オブジェクトを選別するプロセッサ部と、
を含み、
前記条件情報は、前記ディスプレイ環境において表示される前記オブジェクトのうち、選定されたオブジェクトを選別するように定義された情報であることを特徴とする基準者に基づいたオブジェクト管理システム。
【請求項２７】
前記プロセッサ部は、前記選別されたオブジェクトを前記基準者の位置に対応して、前記ディスプレイ環境上で選定された位置に選別することを特徴とする請求項２６に記載の基準者に基づいたオブジェクト管理システム。
【請求項２８】
前記プロセッサ部は、前記基準者の条件情報に対応して、メタデータ情報を有する前記オブジェクトを選別することを特徴とする請求項２６に記載の基準者に基づいたオブジェクト管理システム。
【請求項２９】
同一でないユーザに対する前記オブジェクトは、同一な前記ディスプレイ環境において表示され、
前記プロセッサ部は、前記基準者に基づいて、前記オブジェクトのうちからユーザによって要請された前記オブジェクトを選別することを特徴とする請求項２６に記載の基準者に基づいたオブジェクト管理システム。
【請求項３０】
ディスプレイ環境において基準者に基づいた複数のオブジェクトを管理するためのシステムにおいて、
前記複数のオブジェクトに対応するデータを保存するための保存部と、
前記ディスプレイ環境に対する前記基準者のムーブメントに対応して、前記オブジェクトのムーブメントを管理するプロセッサ部と、
を含み、
前記オブジェクトは、前記ディスプレイ環境において表示され、前記オブジェクトを管理するために定義された前記基準者の条件情報に対応して定義されたメタデータ情報を含むことを特徴とする基準者に基づいたオブジェクト管理システム。
【発明の詳細な説明】
【技術分野】
【０００１】
本発明は、ディスプレイ環境において基準者に基づいてオブジェクトを管理する方法およびこのシステムに関し、より詳細には、マルチユーザディスプレイ環境において、基準者を用いてオブジェクトを選別して管理するための基準者に基づいたオブジェクト管理方法およびこのシステムに関する。
【背景技術】
【０００２】
最近、１人以上のユーザが物理的に１つの画面で同時に共同作業をしながらオブジェクトを管理することができるマルチユーザコンピュータ（ｍｕｌｔｉｐｌｅ−ｕｓｅｒ  ｃｏｍｐｕｔｉｎｇ）環境が登場している。例えば、マイクロソフト社のサーフェスコンピュータ（Ｓｕｒｆａｃｅ  Ｃｏｍｐｕｔｅｒ）や三菱社のユビテーブル（ＵｂｉＴａｂｌｅ）などの多様な種類のテーブルトップ（Ｔａｂｌｅｔｏｐ）が、マルチユーザ環境を提供する代表的な例であると言える。
【０００３】
従来のマルチユーザディスプレイ環境における作業環境では、所有者が異なる１つ以上のオブジェクトが物理的に１つのディスプレイ画面上に表示される上に、複数のユーザが同時に１つのオブジェクトに作業を実行する。しかしながら、このような環境で作業を実行することは、多くの時間を所要するため効率的ではなかった。すなわち、１人のユーザが、互いに混合している１つ以上のオブジェクトから、ユーザ自身が所有しているオブジェクトを収集しようとすれば、従来の環境においては、オブジェクトをクリックするなどのユーザ入力によって１つ１つ選択して移動させるという非効率的な作業を実行しなければならないという問題点があった。
【０００４】
また、ユーザの位置が作業または環境に起因して変動した場合、これを１つ１つ選択して収集したオブジェクトの位置を再調整して整列し直さなければならないという問題点もあった。
【０００５】
さらに、複数のユーザがマルチプロゼクションウィンドウ環境で作業を行うことにより、自分が所有するようになるオブジェクトに対する効率的な管理が不可能になるという問題点もあった。
【特許文献１】米国公開特許第２００６−０１６８５６号公報
【発明の開示】
【発明が解決しようとする課題】
【０００６】
本発明は、前記のような問題点を解決するために案出されたものであって、ディスプレイ環境でオブジェクトを基準者によって効率的に管理することができるオブジェクト管理システムおよびこの方法を提供することを目的とする。
【０００７】
また、本発明は、基準者の位置から所定の条件情報および選択情報に対応してオブジェクトを移動したり整列したりすることで、オブジェクトを選別的に収集、整列して管理することができるオブジェクト管理システムおよびこの方法を提供することを目的とする。
【課題を解決するための手段】
【０００８】
前記の目的を達成するために、本発明は、ディスプレイ環境における基準者（ｓｔａｎｄａｒｄ  ｒｕｌｅｒ）に基づいたオブジェクト管理システムにおいて、前記基準者の条件情報に対応して、前記メタデータ情報を含む前記オブジェクトを選別する条件分析部と、前記ディスプレイ環境における前記基準者の整列に対応して、前記オブジェクトの整列を管理するディスプレイ管理部とを含むことを特徴とする基準者に基づいたオブジェクト管理システムを提供する。前記オブジェクト管理システムは、コンピュータシステムであり得る。
【０００９】
本発明の一側面によれば、ディスプレイ環境において基準者に基づいてオブジェクトを管理するための方法において、前記ディスプレイ環境における前記基準者のムーブメントを管理するステップと、前記基準者の前記ムーブメントに対応して、前記オブジェクトのムーブメントを管理するステップとを含むことを特徴とする基準者に基づいてオブジェクト管理方法を提供する。また、前記オブジェクト管理方法は、前記基準者の条件情報に対応して、メタデータ情報を含む前記オブジェクトを選別するステップをさらに含むことができる。また、前記オブジェクト管理方法は、他のオブジェクトのメタデータ情報に対応して、再定義された前記基準者の前記条件情報に対する前記他のオブジェクトを選別するステップをさらに含むことができる。
【００１０】
また、本発明のさらに他の一側面によれば、ディスプレイ環境において基準者に基づいて複数のオブジェクトを管理するためのシステムにおいて、前記複数のオブジェクトに対応するデータを保存するための保存部と、前記基準者の条件情報に対応して前記オブジェクトを選別するプロセッサ部とを含み、前記条件情報は、前記ディスプレイ環境において表示される前記オブジェクトのうち、選定されたオブジェクトを選別するように定義された情報であることを特徴とする基準者に基づいたオブジェクト管理システムを提供する。また、前記オブジェクト管理システムの前記プロセッサ部は、前記選別されたオブジェクトを前記基準者の位置に対応して、前記ディスプレイ環境上で選定された位置に選別することができる。また、同一でないユーザに対する前記オブジェクトは、同一な前記ディスプレイ環境において表示され、前記プロセッサ部は、前記基準者に基づいて、前記オブジェクトのうちからユーザによって要請された前記オブジェクトを選別することができる。
【００１１】
また、本発明のさらに他の一側面によれば、ディスプレイ環境において基準者に基づいて複数のオブジェクトを管理するためのシステムにおいて、前記複数のオブジェクトに対応するデータを保存するための保存部と、前記ディスプレイ環境に対する前記基準者のムーブメントに対応して、前記オブジェクトのムーブメントを管理するプロセッサ部とを含み、前記オブジェクトは、前記ディスプレイ環境において表示され、前記オブジェクトを管理するために定義された前記基準者の条件情報に対応して定義されたメタデータ情報を含むことができる。
【発明の効果】
【００１２】
本発明によれば、ディスプレイ環境において、オブジェクトを基準者に基づいて効率的に管理することができるオブジェクト管理システムおよびこの方法を提供することができる効果がある。
【００１３】
また、本発明によれば、基準者の位置から所定の条件情報および選択情報に対応してオブジェクトを移動したり整列したりすることで、オブジェクトを選別的に収集、整列して管理することができるオブジェクト管理システムおよびこの方法を提供することができる効果がある。
【発明を実施するための最良の形態】
【００１４】
以下、添付の図面を参照しながら、本発明に係るディスプレイ環境における基準者に基づいたオブジェクト管理システムおよびこの方法について詳しく説明する。本発明を説明するに先立ち、関連した公知機能または構成につての具体的な説明が本発明の要旨を不明確にすると判断される場合には、その詳細な説明は省略する。また、本明細書で用いられる用語は、本発明の好ましい実施形態を適切に表現するために用いられた用語であり、これは、ユーザや運用者の意図、または本発明が属する分野の慣例などによって異なる場合がある。したがって、本用語の定義は、本明細書の全般に渡って記載された内容に基づいて下されなければならない。
【００１５】
図１は、本発明の一実施形態に係るディスプレイ環境における基準者に基づいたオブジェクト管理システムの構成を示したブロック図である。
【００１６】
図１を参照すれば、本発明の基準者に基づいたオブジェクト管理システム１００は、メタデータ管理部１１０と、条件分析部１２０と、ディスプレイ管理部１３０と、オブジェクト保存部１４０と、入力モジュール部１５０と、ネットワークモジュール部１６０と、基準者認識部１７０とを含んで構成される。
【００１７】
メタデータ管理部１１０は、オブジェクトのメタデータ情報を管理する。すなわち、メタデータ管理部１１０は、ユーザのオブジェクトに対する作成および修正と関連した情報を管理するのである。本発明の一実施形態に係るオブジェクトは、ディスプレイ上のアイコン、ショートカットイメージ（ｓｈｏｒｔｃｕｔ  ｉｍａｇｅ）で表示されるデータ、文章（ｄｏｃｕｍｅｎｔ）、ファイル、あるいはコンピュータシステムのプログラムであり得る。メタデータ情報は、オブジェクトの所有者情報、ウィンドウファイルシステム上のオブジェクトの位置のようなオブジェクトの位置情報、ユーザのオブジェクトに対する寄与度情報、オブジェクトの修正情報、およびプライバシー情報を含むことができ、メタデータ情報は、本発明の好ましい実現によって他の情報を含むことができる。
【００１８】
条件分析部１２０は、ユーザから条件情報を受信し、この条件情報に対応するメタデータ情報を分析してオブジェクトを選別する。
【００１９】
ディスプレイ管理部１３０は、マルチディスプレイ環境上におけるオブジェクトのムーブメントモードおよび／または基準者のムーブメント経路を管理する。
【００２０】
ディスプレイ管理部１３０は、基準者のムーブメント経路に対応し、条件分析部１２０を介して選別されたオブジェクトのムーブメントモードを管理する。ここで、基準者は、ディスプレイ環境上において表示されるアイコンまたは客体であり得る。このために、ディスプレイ管理部１３０は、基準者のムーブメント経路を管理する基準者ムーブメント管理部１３１と、ムーブメント経路に対応してムーブメントモードを管理するオブジェクトムーブメント管理部１３２とを含む。すなわち、基準者ムーブメント管理部１３１は、基準者がディスプレイ環境で移動する経路を追跡して基準者のムーブメントを管理し、オブジェクトムーブメント管理部１３２は、基準者の影響に伴うオブジェクトの移動効果を管理するものである。
【００２１】
ここで、ムーブメントモードは、条件分析部１２０を介して選別されたオブジェクトをコレクトパワー情報に対応し、基準者を中心とした所定の領域に配置させるコレクションモード（ｃｏｌｌｅｃｔｉｏｎ  ｍｏｄｅ）と、選別されたオブジェクトを基準者を中心として整列させるオリエンテーションモード（ｏｒｉｅｎｔａｔｉｏｎ  ｍｏｄｅ）とを含むことができる。すなわち、ディスプレイ管理部１３０は、基準者とオブジェクトに対する移動効果を全体的に管理するものである。
【００２２】
オブジェクトムーブメント管理部１３２は、条件分析部１２０を介して選別されたオブジェクトの選択モード情報をユーザから受信する。ここで、選択モード情報は、ディスプレイの全体領域を対象とする全体画面モード情報と、基準者に基づいた収集強度カバー領域を対象とするローカル検索モード情報とを含むことができる。また、条件情報は、オブジェクトのプライバシー情報と、基準者に基づく収集強度（ｃｏｌｌｅｃｔｉｎｇ  ｐｏｗｅｒ）に対するコレクトパワー情報とを含むことができる上に、オブジェクトを所有しているユーザの所有者情報と、オブジェクト作成に寄与した寄与者（ｃｏｎｔｒｉｂｕｔｏｒ）の寄与者情報と、最近オブジェクトを修正した修正者の修正者情報とをさらに含むこともできる。
【００２３】
オブジェクト保存部１４０は、オブジェクトを実際に物理的に保存することで、ユーザ別にオブジェクトを保存して維持する。また、入力モジュール部１５０は、ユーザから基準者を活性化／非活性化するための入力情報を受信したり条件情報を受信したりして条件分析部１２０に伝達する。
【００２４】
ネットワークモジュール部１６０は、ユーザから選択モード情報、条件情報、および基準者を活性化／非活性化するための入力信号を受信するための通信インターフェースモジュールであり得る。
【００２５】
また、本発明に係る基準者に基づいたオブジェクト管理システム１００は、ディスプレイに認識領域を提供し、この認識領域に含まれたデジタル携帯機器などの装備を基準者として認識する基準者認識部１７０をさらに含むこともできる。
【００２６】
本発明によれば、ディスプレイ環境においてオブジェクトを基準者に基づいて効率的に管理できるだけでなく、基準者の位置から所定の条件情報および選択情報に対応してオブジェクトを移動したり整列したりすることで、オブジェクトを選別的に収集、整列して管理することもできる。
【００２７】
さらに、基準者に基づいたオブジェクト管理システム１００は、プロジェクションウィンドウ環境のシステムに限定されず、テーブルトップシステム（ｔａｂｌｅ  ｔｏｐ）、デスクトップシステム（ｄｅｓｋｔｏｐ）、タブレット（ｔａｂｌｅｔ）システムなどにも適用が可能である。以下、本発明に係る基準者に基づいたオブジェクト管理方法について詳しく説明する。
【００２８】
図２は、本発明の一実施形態に係る一般的なディスプレイ環境における基準者に基づいたオブジェクト管理方法を説明するためのフローチャートである。
【００２９】
図２を参照すれば、まず、メタデータ管理部を介してオブジェクトのメタデータ情報を保存して維持する（ステップＳ２１０）。この後、基準者ムーブメント管理部を介して基準者のムーブメント経路を管理し（ステップＳ２２０）、オブジェクトムーブメント管理部を介して、ムーブメント経路に対応してオブジェクトのムーブメントモードを管理する（ステップＳ２３０）。ここで、ムーブメントモードは、条件分析部を介して選別されたオブジェクトをコレクトパワー情報に対応し、基準者を中心とした所定の領域に配置させるコレクションモードと、選別されたオブジェクトを基準者を中心として整列させるオリエンテーションモードとを含むことができる。
【００３０】
図３は、本発明の他の一実施形態に係るディスプレイ環境における基準者に基づいたオブジェクト管理方法を説明するためのフローチャートである。
【００３１】
図３を参照すれば、まず、メタデータ管理部を介してオブジェクトのメタデータ情報を保存して維持する（ステップＳ３１０）。ここで、メタデータ情報とは、オブジェクトの生成および修正に関する情報である。メタデータ情報については、図４を参照しながら詳しく説明する。
【００３２】
図４は、本発明の一実施形態に係るメタデータ情報の一例を示した図である。図４を参照すれば、メタデータ情報は、ウィンドウ上のオブジェクトの位置情報、オブジェクトの所有者情報、オブジェクトの作成に寄与した最大寄与者情報、最近オブジェクトを修正したユーザ情報、ユーザの寄与度情報などを含んでいる。また、図示してはいないが、オブジェクトの修正情報、およびプライバシー情報をさらに含むこともできる。
【００３３】
再び図３を参照すれば、この後、基準者のムーブメント経路およびオブジェクトのムーブメントモードを管理するようになる。すなわち、ユーザから入力モジュール部を介して活性化入力信号を受信し、基準者を活性化させ、基準者のムーブメント経路を変更させるのである（ステップＳ３２０）。基準者のムーブメント経路は相対的なものであって、ユーザがディスプレイ環境において基準者を移動させる状況やユーザの位置が変動することによって、基準者の位置が相対的に変動する状況すべてが含まれる。なお、基準者については、図５ａおよび図５ｂを参照しながら詳しく説明する。
【００３４】
図５ａおよび図５ｂは、本発明の一実施形態に係る基準者オブジェクトを例示した図である。
【００３５】
図５ａおよび図５ｂを参照すれば、本発明の基準者オブジェクトは、マグネット（Ｍａｇｎｅｔ）形態のアイコンオブジェクトとして構成することができる。図５ａは、プロジェクションウィンドウ環境のバーマグネットオブジェクト６１０形態のアイコンを示しており、図５ｂは、円形マグネットオブジェクト６２０形態のウィンドウ環境のアイコンを示している。すなわち、多様な形態のアイコンオブジェクトを含む基準者は、ディスプレイ内で磁力線（ｌｉｎｅ  ｏｆ  ｍａｇｎｅｔｉｃ  ｆｏｒｃｅ）などでユーザからの選択モード情報および条件情報に対応し、オブジェクトを選別するための基準としての役割を実行するのである。すなわち、ユーザから受信された条件情報に基づいて、オブジェクトを磁力線分布に対応させて配置したり整列したりすることができる。また、基準者は、図５ａおよび図５ｂで提示したマグネット形態のアイコンオブジェクトに限定されず、プロジェクションウィンドウ環境上で提供する所定の認識領域に含まれて、システム上で基準者として認識されたデジタル携帯装備のように、オブジェクトを選別するための基準としての役割を行えることができるオブジェクトであれば、制限なく適用することができる。
【００３６】
再び図３を参照すれば、この後、条件分析部を介してユーザから選択モード情報および条件情報を受信し、この条件情報に対応するメタデータ情報を分析してオブジェクトを選別し、基準者のムーブメント経路に対応して、選別されたオブジェクトのムーブメントモードを管理する（ステップＳ３３０）。ここで、選択モード情報は、ディスプレイ環境の全体領域を対象とする全体画面モード情報と、基準者に基づく収集強度カバー領域を対象とするローカル検索モード情報とを含む。このような条件情報については、図６を参照しながら詳しく説明する。
【００３７】
図６は、本発明の一実施形態に係るユーザから受信されたオブジェクト選別のための条件情報の一例を示した図である。図６を参照すれば、ユーザは、本発明の基準者に、オブジェクトを選別するための条件情報４３０を入力することができる。本発明の条件情報は、オブジェクトを所有しているユーザに対する所有者情報、オブジェクト作成に寄与した寄与者に対する寄与者情報、および最近オブジェクトを修正した修正者に対する修正者情報だけでなく、図示してはいないが、オブジェクトに対するプライバシー情報、および基準者に基づいた収集強度に対するコレクトパワー情報を含むことができる。すなわち、図６のように、ユーザは、該当する基準者に、作成者がＧｅｎｅであり、作成者の寄与度が５０％以上であり、オブジェクトを選別するための収集強度が５０％であるオブジェクトを選別する条件情報を入力することができる。図５において、基準者は、マグネット形態のアイコンオブジェクトとして表現されている。すなわち、基準者は、ディスプレイ環境内のマグネット形態のアイコンオブジェクトとして表現することができる。マグネットアイコンオブジェクトは、Ｎ極４１０とＳ極４２０とを具備しており、Ｎ極４１０とＳ極４２０で磁力線を形成し、ユーザから受信した条件情報に基づいてオブジェクトを磁力線分布に対応させながら配置したり整列したりすることができる。さらに、条件情報は、１つの因子による情報だけではなく、複数の因子の組み合わせによる情報すべてを含むこともできる。
【００３８】
再び図３を参照すれば、ステップ３４０の後に、オブジェクトムーブメント管理部を介して選別されたオブジェクトをコレクトパワー情報に対応し、基準者を中心した所定の領域に配置したり、選別されたオブジェクトを基準者を中心として整列させたりする。選別されたオブジェクトを所定の領域に配置したり、基準者を中心として整列させたりすることは、下記の数式１または数式２のようなムーブメントモード（移動モード）を用いて実現することができる。
【００３９】
【数１】
2009093613.tif 000003
【００４０】
【数２】
2009093613.tif 000004
【００４１】
数式１および数式２において、Ｏｂｊｅｃｔ関数は、プロジェクションウィンドウ上の表示される画面におけるオブジェクトの位置を配置する関数であり、Ｐｏｗｅｒは、条件情報に含まれる収集強度、Ｍａｇｎｅｔ関数は、基準者の位置を配置する関数であり、ａおよびｂは、現在の基準者の位置を示す定数である。また、Ｏｂｊｅｃｔ．Ｏｒｉｅｎｔ関数は、オブジェクトの方向を整列させる関数であり、ｘ，ｙは、配置または整列前のオブジェクトの位置であり、ｘ’，ｙ’は、配置または整列後のオブジェクトの位置を示す変数である。すなわち、数式１は、ユーザから条件分析部を介して受信する条件情報に含まれた収集強度から現在位置している基準者と現在のオブジェクトとの相対的な位置を決定し、オブジェクトを相対的な位置に配置させる。さらに、数式２は、オブジェクトの位置を固定させ、その整列された方向を基準者の位置に整列させることができる。
【００４２】
オブジェクトを基準者に対応して所定の位置に配置したり、基準者を中心として整列させたりした後、ユーザから入力モジュール部を介して非活性化入力信号を受信し、基準者を非活性化させる（ステップＳ３５０）。
【００４３】
上述したディスプレイ環境における基準者に基づいたオブジェクト管理方法によれば、ディスプレイ環境においてオブジェクトを基準者に基づいて効率的に管理できるだけでなく、基準者の位置から所定の条件情報および選択情報に対応してオブジェクトを移動したり整列したりすることで、オブジェクトを選別的に収集、整列して管理することもできる。
【００４４】
図７は、図５ａおよび図５ｂで例示されたマグネット形態の基準者オブジェクトの種類に応じて選別されたオブジェクトが配置または整列してオブジェクトが管理される方法を説明するための図である。
【００４５】
図７を参照すれば、基準者がバーマグネットオブジェクト６１０である場合には、バーマグネットオブジェクト６１０を中心として、バーマグネットオブジェクト６１０に対応する選別されたオブジェクト６１１、６１２、６１３、６１４、６１５、６１６が一方向に整列する。また、基準者が円形マグネットオブジェクト６２０である場合には、円型マグネットオブジェクト６２０を中心として形成される磁力線の分布傾向に応じて、円型マグネットオブジェクト６２０に対応する選別されたオブジェクト６２１、６２２、６２３、６２４、６２５が整列する。円型マグネットオブジェクト６２０は、地域的に画面に広がって分布しているオブジェクトを収集して整列するのに有用であり、バーマグネットオブジェクト６１０は、画面の一方向にオブジェクトを整列させるときに有用である。
【００４６】
図８は、本発明の基準者に基づいたオブジェクト管理システム内において、基準者を中心として整列したオブジェクトが、基準者の位置変化に伴って整列してオブジェクトを管理する方法を説明するための図である。
【００４７】
図８は、基準者がバーマグネットオブジェクト６１０である場合を示した図である。図８を参照すれば、バーマグネットオブジェクト６１０がユーザの入力に応じて第１位置から第２位置に移動すれば、第１位置におけるバーマグネットオブジェクト６１０を中心として整列していた選別されたオブジェクト６３１、６３２、６３３は、第２位置におけるバーマグネットオブジェクト６１０を中心として再整列する。この場合に、第２位置におけるバーマグネットオブジェクト６１０を中心として再整列するオブジェクトは、第１位置において、選択モード情報および条件情報に対応する選別されたオブジェクト６３１、６３２、６３３だけが含まれる。第１位置で選別されなかったオブジェクトは、バーマグネットオブジェクト６１０の位置変化に関係なく、最後に配置された位置に整列するようになる。
【００４８】
図９は、本発明の基準者に基づいたオブジェクト管理システム内において、基準者を中心として整列したオブジェクトがユーザの位置変化に伴って整列してオブジェクトを管理する方法を説明するための図である。
【００４９】
図９を参照すれば、プロジェクションウィンドウ環境におけるユーザＡの第１位置において、バーマグネットオブジェクト９１０によって管理される選別されたオブジェクト９１１、９１２、９１３、９１４、９１５が整列した状態でユーザＡが第２位置に移動すれば、第２位置に応じてユーザＡのバーマグネットオブジェクト９１０も第２位置に対応して再配置され、バーマグネットオブジェクト９１０によって管理される選別されたオブジェクト９１１、９１２、９１３、９１４、９１５も、第２位置のバーマグネットオブジェクト９１０に対応して再整列または再配置するようになる。この場合、ユーザＡと条件情報の関連がないユーザＢに対応するオブジェクト９２１、９２２、９２３、９２４、９２５、９２６は、再配置されない。
【００５０】
図１０ａおよび図１０ｂは、本発明の一実施形態に係るプライバシー条件情報による基準者に基づいたオブジェクト管理方法を説明するための図である。
【００５１】
図１０ａおよび図１０ｂを参照すれば、上述したように、本発明の基準者に基づいたオブジェクト管理システムでは、条件分析部を介してユーザから選択モード情報および条件情報を受信し、この条件情報に対応するメタデータ情報を分析してオブジェクトを選別し、基準者のムーブメント経路に対応して選別されたオブジェクトのムーブメントモードを管理するようになる。ここで、条件情報は、オブジェクトを所有しているユーザの所有者情報、オブジェクト作成に寄与した寄与者の寄与者情報、および最近オブジェクトを修正した修正者の修正者情報だけでなく、図示してはいないが、オブジェクトのプライバシー情報、および基準者に基づいた収集強度のコレクトパワー情報を含むこともできる。図１０ａは、プライバシー情報が個人モード（ｐｒｉｖａｔｅ  ｍｏｄｅ）の場合であり、ユーザＡの基準者を中心として整列したり配置したりしたオブジェクト、およびユーザＡが所有者となっているオブジェクトが表示されている。この反面、図１０ｂは、プライバシー情報がパブリックモード（ｐｕｂｌｉｃ  ｍｏｄｅ）の場合であり、ユーザＢの存在により、図１０ａにおけるユーザＡの基準者に対応する特定のオブジェクト１０１１、１０１２、１０１３は、ユーザＢには隠れモードとして管理されるようになる。
【００５２】
なお、本発明に係るディスプレイ環境における基準者に基づいたオブジェクト管理方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００５３】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態に制限されるものではない。
【図面の簡単な説明】
【００５４】
【図１】本発明の一実施形態に係るディスプレイ環境における基準者に基づいたオブジェクト管理システムの構成を示したブロック図である。
【図２】本発明の一実施形態に係るディスプレイ環境における基準者に基づいたオブジェクト管理方法を説明するためのフローチャートである。
【図３】本発明の他の一実施形態に係るディスプレイ環境における基準者に基づいたオブジェクト管理方法を説明するためのフローチャートである。
【図４】本発明の一実施形態に係るメタデータ情報の一例を示した図である。
【図５ａ】本発明の一実施形態に係る基準者オブジェクトの一例を示した図である。
【図５ｂ】本発明の一実施形態に係る基準者オブジェクトの一例を示した図である。
【図６】本発明の一実施形態に係るユーザから受信するオブジェクト選別のための条件情報の一例を示した図である。
【図７】図５ａおよび図５ｂで例示されたマグネット形態の基準者オブジェクトの種類に応じて選別されたオブジェクトが配置または整列してオブジェクトが管理される方法を説明するための図である。
【図８】本発明の、基準者に基づいたオブジェクト管理システム内において、基準者を中心として整列したオブジェクトが、基準者の位置変化に伴って整列してオブジェクトを管理する方法を説明するための図である。
【図９】本発明の、基準者に基づいたオブジェクト管理システム内において、基準者を中心として整列したオブジェクトが、ユーザの位置変化に伴って整列してオブジェクトを管理する方法を説明するための図である。
【図１０ａ】本発明の一実施形態に係るプライバシー条件情報に基づいた基準者に基づいたオブジェクト管理方法を説明するための図である。
【図１０ｂ】本発明の一実施形態に係るプライバシー条件情報に基づいた基準者に基づいたオブジェクト管理方法を説明するための図である。
【符号の説明】
【００５５】
１００  基準者に基づいたオブジェクト管理システム
１１０  メタデータ管理部
１２０  条件分析部
１３０  ディスプレイ管理部
１３１  基準者ムーブメント管理部
１３２  オブジェクトムーブメント管理部
１４０  オブジェクト保存部
１５０  入力モジュール部
１６０  ネットワークモジュール部
１７０  基準者認識部
【図１】
2009093613.tif 000005
【図２】
2009093613.tif 000006
【図３】
2009093613.tif 000007
【図４】
2009093613.tif 000008
【図５ａ】
2009093613.tif 000009
【図５ｂ】
2009093613.tif 000010
【図６】
2009093613.tif 000011
【図７】
2009093613.tif 000012
【図８】
2009093613.tif 000013
【図９】
2009093613.tif 000014
【図１０ａ】
2009093613.tif 000015
【図１０ｂ】
2009093613.tif 000016